(57)【要約】【課題】狭い設置スペースにも設置でき、装置全体の構造部材が少なくて済み、経済的且つ簡単に施工できるばかりでなく、設備コスト及びランニングコストを格段に低減できる有機廃棄物処理装置を提供する。【解決手段】上面は開放された略円筒形状の生ゴミ処理槽２の直径方向に槽壁２ａでもって左右移動用レールを兼ねた架台６を両持ち支持する。槽壁２ａの上面に走行用レール９をその円周に倣って敷設し、中央に立設されたスクリューホッパー７を有する生ゴミ投入筒８を軸心にして、走行用レール９上を架台６の両端部が円周方向に走行できるようにする。さらに、架台６上には生ゴミ処理槽２の半径方向に往復移動可能な一対の台車４が設け、台車４上に駆動用モーター５を据付けると共に、モーター５により自転駆動される複数の攪拌装置３を垂下して設ける。【選択図】  図１
2009090257.tif 000002
【特許請求の範囲】
【請求項１】
有機性廃棄物を貯留する発酵処理槽の上部に水平移動可能に据え付けられた台車を有する架台と、該台車に垂下して設けられ有機廃棄物を攪拌する攪拌装置を有してなる有機性廃棄物処理装置において、前記発酵処理槽を略円筒状に形成し、その略中央に生ゴミ投入筒を設けると共に、当該生ゴミ投入筒を軸心として前記架台を回動させることを特徴とする有機性廃棄物処理装置。
【請求項２】
発酵処理槽の底面に、送風ブロアー管を放射状に配したことを特徴とする請求項１記載の有機性廃棄物処理装置。
【請求項３】
攪拌装置が少なくとも一対のスクリュー羽根を備えていることを特徴とする請求項１又は請求項２記載の有機性廃棄物処理装置。
【発明の詳細な説明】
【技術分野】
【０００１】
本発明は、食品廃棄物等の有機性廃棄物を発酵処理して堆肥化するために使用される有機性廃棄物処理装置に関する。
【背景技術】
【０００２】
従来、生ゴミ等の有機性廃棄物の処理では、廃棄物に微生物を加えて発酵処理して堆肥化する方法が多く採用されている。この方法によれば、有機性廃棄物を微生物で発酵分解して、均一な低分子化合物を主成分とする有機肥料に変成処理する。例えば、生ゴミを堆肥化して処理する生ゴミ処理装置としては、底部が開口した容器を地中に埋設して発酵菌を添加して生ゴミを収容し、菌によって発酵処理させる家庭用の小型のものから、粉砕装置、発酵槽を備えた産業用の大型生ゴミ処理装置まで、種々の形式のものが知られている。しかし、従来の生ゴミ処理装置は、前者はその処理容量が小さく、大量の生ゴミが発生する所には適用できず、また後者の場合は、例えば食品残渣からなる大量の水分を含む生ゴミの場合、人手による水切り後さらにおが屑や藁等の水分調整材を大量に混ぜて処理するため、処理が面倒で維持費が高く、しかも既処理生ゴミも大量に発生するので、搬出周期も短くしなければならない等の欠点があった。
【０００３】
そのため、専門の処理要員を必要とし、例えば給食センターやレストラン等大量の生ゴミを生じる事業所において、そのような装置を設置して自己処理するには設備コスト及びランニングコストが嵩み過ぎる問題点がある。そこで、生ゴミが多く発生する施設は、一般に専門の処理業者に頼っているのが現状であるが、近年、これらの処理業者の減少に伴い、迅速な処理を行うことが困難になっている。
【０００４】
そこで、例えば、発酵処理槽と、この発酵処理槽に生ゴミを水切りしながら投入する生ゴミ投入装置とを備え、発酵処理槽の内部に、攪拌筒と、この攪拌筒内に前記発酵処理槽の下部に堆積している生ゴミを上昇させこの攪拌筒から再び発酵処理槽下部に分散落下させる攪拌スクリューとからなる攪拌装置を設け、攪拌筒の円筒壁に粉砕用孔が形成されている生ゴミ処理装置が提案されている（特許文献１参照。）。
【０００５】
【特許文献１】特公平７−６４６６３号公報
【発明の開示】
【発明が解決しようとする課題】
【０００６】
しかしながら、上記従来の生ゴミ処理装置は、発酵処理槽の上部から生ゴミを投入する構成とされているため、装置全体の高さに制限を受ける。また、生ゴミ投入用のコンベアと排出用のコンベアを別途設けているので、広い設置スペースが必要であるばかりでなく、建設コスト及びランニングコストが嵩む。本発明は、上記のような問題を解決するため、狭い設置スペースにも設置でき、装置全体の構造部材が少なくて済み、経済的且つ簡単に施工できるばかりでなく、設備コスト及びランニングコストを格段に低減できる有機廃棄物処理装置を提供することを目的とする。
【課題を解決するための手段】
【０００７】
このため本発明は、有機性廃棄物を貯留する発酵処理槽の上部に水平移動可能に据え付けられた台車を有する架台と、該台車に垂下して設けられ有機廃棄物を攪拌する攪拌装置を有してなる有機性廃棄物処理装置において、前記発酵処理槽を略円筒状に形成し、その略中央に生ゴミ投入筒を設けると共に、当該生ゴミ投入筒を軸心として前記架台を回動させることを第１の特徴とし、また、発酵処理槽の底面に、送風ブロアー管を放射状に配したことを第２の特徴とし、さらに、攪拌装置が少なくとも一対のスクリュー羽根を備えていることを第３の特徴とする。
【０００８】
本発明では、略円筒状の発酵処理槽の上部に、架台を直径方向に両持ち支持し、架台上に発酵処理槽の半径方向に往復移動可能な台車を設ける。この台車上には駆動用モーターを配設すると共に、このモーターにより自転駆動される攪拌体を垂下して設ける。攪拌体の回転軸は複数本、例えば４本設けることができ、回転軸の周面にはスクリュー様の攪拌羽根を固着する。これにより、発酵処理槽に堆積した有機廃棄物を下層部分まで確実に攪拌して十分な通気を行うことができ、発酵効率を大幅に高めることができる。
【発明の効果】
【０００９】
本発明によれば、コンパクトで攪拌効率の高い有機性廃棄物処理装置を経済的に提供できる。
【発明を実施するための最良の形態】
【００１０】
以下に、本発明の実施の形態を図面に示す実施例に基づいて説明する。本実施例は、本発明装置を生ゴミ処理に適用したものである。攪拌装置は一対のスクリュー型の回転軸を有するものを二組垂下させ、鉛直軸方向に対して所定角度傾斜させて配置されている。
図１（ａ）は本発明に係る生ゴミ処理装置の一部平面図、（ｂ）は正面図、図２（ａ）は本発明に係る生ゴミ処理装置を示す要部平面図、（ｂ）は要部正面図、図３は攪拌装置のスクリュー羽根を示す要部正面図、図４（ａ）は排出コンベアを示す要部拡大側面図、（ｂ）はＵ字溝の設置状態を示す断面図である。
【実施例】
【００１１】
図１及び図２において、１は生ゴミ処理装置で、例えば、給食センターやレストラン等の事業所から発生する厨芥（有機性廃棄物）を微生物を用いて発酵処理して堆肥化するための設備である。生ゴミ処理装置１の略円筒形状の生ゴミ処理槽２の上面は開放され、左右移動用レールを兼ねた架台６が直径方向に槽壁２ａでもって両持ち支持されている。また、槽壁２ａの上面には走行用レール７がその円周に倣って敷設されており、中央に立設されたスクリューホッパー８ａを有する生ゴミ投入筒８を軸心にして、この走行用レール７上を架台６の両端部が円周方向に走行できるようにされている。さらに、架台６上には生ゴミ処理槽２の半径方向に往復移動可能な一対の台車４が設けられている。この台車４上には駆動用モーター５が据付けられると共に、モーター５により自転駆動される複数の攪拌体を垂下した攪拌装置３が設けられている。
【００１２】
発酵処理槽２の中には、厨芥Ｓを攪拌粉砕するための攪拌粉砕装置３が据え付けられる。図３に示すように、攪拌装置３の回転シャフト３ａは複数本、例えば４本設けることができ、回転シャフト３ａの周面にはスクリュー様の攪拌羽根３ｂが固着されている。これにより、生ゴミ処理槽２に投入され堆積した有機廃棄物を粉砕したり下層部分まで確実に攪拌して十分な通気を行うことができ、発酵効率を大幅に高めることができる。
【００１３】
台車４に据え付けられた攪拌装置３には、対向するスクリュー羽根３ｂを有する一対の回転シャフト３ａが設けられ、これら回転シャフト３ａの下端は、発酵処理槽２の床面近傍まで達している。ここで、回転シャフト３ａは中空のものが使用され、その上端部分にはロータリージョイントを介して、送風口が設けられ、攪拌時にシャフト３ａの先端部のエアー噴出口３ｃからイジェクター方式で発酵に最適な温風が送気して発酵を促進できるようにされている。
【００１４】
垂直型のスクリュー式攪拌装置３は、攪拌中における処理槽内の熱の発散が少なく、高温発酵の持続性が高く、上述したように回転シャフト３ａの先端よりエアーを出す仕組みになっているので、処理能力が高く、生ゴミの移動量が比較的少ないため、発酵槽の長さが短くて済む。また、ベアリング等が被処理物の中に直接入らないので、故障が少なく構造もシンプルでメンテナンスも容易である。
【００１５】
尚、攪拌装置３はその全体が進行方向に向かって傾斜できるようにされている。この傾斜角度は攪拌体３の長手方向に対して１０度〜３０度程度、好ましくは１５度くらいに設定されている。これにより、生ゴミを確実に掻き揚げることができ、攪拌効果が増幅される。また、発酵処理槽２の底面には送気管１２に連通された送風管１１が全面にわたって放射状に張設されており、収容された生ゴミの発酵処理効率を高めるために底部から送気できるようにされている。
【００１６】
台車４上には、架台６上を左右に往復移動するための往復移動用モーター４ａと、攪拌装置３を回動させるための攪拌用モーター５が載置されている。すなわち、架台６が生ゴミ処理槽２上を水平に回転移動しながら、攪拌装置３が架台６上を水平に往復動する。したがって、攪拌装置３は生ゴミ処理槽２内で自転しながら発酵処理槽２内を半径上の軌跡でジグザグに移動し、貯留された生ゴミを満遍なく攪拌することができる。尚、図４に示すように、生ゴミ処理槽２の底面中央部から外部に向かってＵ字溝９ｂが設けられ、このＵ字溝９ｂ内には、処理後の堆肥を搬出するスクリューコンベア９が設けられている。図中、９ｃはスクリューコンベア９の駆動モーターである。  
【図面の簡単な説明】
【００１７】
【図１】（ａ）は本発明に係る生ゴミ処理装置の一部平面図、（ｂ）は正面図である。
【図２】（ａ）は本発明に係る生ゴミ処理装置を示す要部平面図、（ｂ）は要部正面図である。
【図３】攪拌装置のスクリュー羽根を示す要部正面図である。
【図４】（ａ）は排出コンベアを示す要部拡大側面図、（ｂ）はＵ字溝の設置状態を示す断面図である。
【符号の説明】
【００１８】
１      生ゴミ処理装置（有機性廃棄物処理装置）
２      生ゴミ処理槽
２ａ    槽壁
３      攪拌装置
３ａ    攪拌シャフト
３ｂ    スクリュー羽根
３ｃ    エアー噴出口
４      台車
４ａ    モーター（往復移動用）
４ｂ    車輪
５      攪拌モーター
６      架台（往復移動用レール）
６ａ    モーター（周回移動用）
７      走行レール（周回移動用）
８      生ゴミ投入筒
８ａ    投入ホッパー
９      スクリューコンベア（搬出用）
９ｂ    Ｕ字溝
９ａ    網体
９ｃ    コンベアモーター
１０    車輪
１０ａ  モーター
１１    放射状送風管
１２    送気管
【図１】
2009090257.tif 000003
【図２】
2009090257.tif 000004
【図３】
2009090257.tif 000005
【図４】
2009090257.tif 000006